(57)【要約】【課題】テレビ受信機における白文字補正において、平均輝度レベルによって映像出力レベルが可変しない表示デバイスを持ったテレビ受信機の白文字に対する白文字補正をより最適に行うことを目的とする。【解決手段】Ｙ信号として０１から入力された信号からＹ信号のＡＰＬを検出し、０２のＡＰＬ検出回路で生成した白文字補正信号を０４のＢＬＵＥ処理回路へ伝送し、ＡＰＬによって最適に白文字補正を行うことで白文字以外の高輝度Ｙ信号に対して白文字補正を行うことを防止し違和感なく白文字補正を行うことを特徴としたものである。【選択図】  図１
2004304212.tif 000002
【特許請求の範囲】
【請求項１】
映像輝度信号（以降Ｙ信号）入力装置および平均輝度検出回路（以降ＡＰＬ検出回路）、ＲＧＢマトリクス回路、白文字補正回路、ＲＧＢ信号出力回路を備え、テレビ受信機における白文字に含まれるＢＬＵＥ成分をＡＰＬによってＡＰＬが高い時は白文字補正を少なく、ＡＰＬが低い時は白文字補正量を多く掛けることで、映像状態により最適且つ鮮やかに白文字を再現することを特徴とする白文字補正装置。
【請求項２】
Ｙ信号を入力する手段と、Ｙ信号からＡＰＬを検出する手段と、Ｙ、Ｒ−Ｙ、Ｂ−Ｙ信号からＲＧＢ信号にマトリクス変換する手段と、マトリクス処理されたＲＧＢ信号を出力する手段と、前記ＡＰＬ検出結果から白文字補正回路のＢＬＵＥ出力部に白文字補正信号を出力する手段と、マトリクス処理されたＲＧＢ信号の内、ＢＬＵＥ信号にのみ白文字補正信号によりＢＬＵＥ信号だけ出力を大きくする手段を備えた白文字補正装置。
【請求項３】
前記ＡＰＬ検出回路から出力する白文字補正信号に対してスライスレベルを備え、スライスレベル以下の受信状態の時に白文字補正を行うためのスライスレベル設定回路をさらに有することを特徴とする請求項１に記載された白文字補正装置。
【請求項４】
前記ＡＰＬ検出回路から出力する白文字補正信号に対してスライスレベルを設定する手段を備えた請求項２に記載の白文字補正装置。
【請求項５】
前記ＡＰＬ検出回路から出力する白文字補正信号に対するゲインを設定する回路を備えた請求項１に記載の白文字補正装置。
【請求項６】
前記ＡＰＬ回路出力する白文字補正信号を出力する手段に加え、前記スライスレベルよりも小さい信号に対しゲインを持たせる手段を備えた請求項２に記載の白文字補正装置。
【請求項７】
前記ＡＰＬ検出回路から出力する白文字補正信号にガンマ補正を行う回路を備えた請求項１に記載の白文字補正装置。
【請求項８】
前記ＡＰＬ検出回路から出力する白文字補正信号を出力する手段に加え、前記スライスレベルよりも小さい信号に対し白文字補正信号にガンマ補正を掛ける手段を備えたことを可能とすることを特徴とした請求項１に記載の白文字補正装置。
【発明の詳細な説明】
【０００１】
【発明の属する技術分野】
本発明は、テレビ受像機における映像の処理に関するものであり、特にテレビ受像機としての画質向上分野に関するものである。
【０００２】
【従来の技術】
従来の白文字補正装置は、出力する輝度信号に対しある出力レベル以上のＹ信号が入力された時にＢＬＵＥ信号に対して出力を大きくする機能を有していた。
【０００３】
この回路は従来、ＣＲＴを用いたテレビ受信機に用いられたものであったためテレビ受信機としてＡＢＬ回路（オートブライトネスコントロール回路）あるいはＡＣＬ回路（オートコントラストコントロール回路）を有し、ＡＢＬ電流で設定された平均ビーム電流以上のＹ信号が入力された場合に出力する信号レベルを下げ、平均ビーム電流が一定以上にならない様に出力信号を制御している為、白文字補正レベルも相対的に出力信号に対してスライスレベルが変化し、ＡＰＬが高い時は白文字補正がかからず、ＡＰＬが低い時には白文字補正がかかるシステムとなっていた（特許文献１参照）。
【０００４】
【特許文献１】
特開２００１−１２８１９２号公報
【０００５】
【発明が解決しようとする課題】
図６を用いて説明する。
【０００６】
従来の技術ではＣＲＴを用いたテレビ受像機を前提として白文字補正装置が作られていたことがあり、１９のＣＲＴの高圧出力回路から平均ビーム電流（ＡＢＬ電流）を１８のＡＢＬ／ＡＣＬ検出回路が検出し、この情報をもとに１７の白文字補正回路がＡＢＬ／ＡＣＬ検出値を元に白文字補正スレッシュレベルを決定し補正を行っていた。
【０００７】
この方式では、ＣＲＴのように平均輝度を検出する情報を予め持っているテレビ受信機は問題ないが、液晶やプラズマ、有機ＥＬ（エレクトロ・ルミネッセンス）を用いた画像表示デバイスでは白文字補正が出力する画像に対しいつも同じ状態でかかってしまい、画面全体が明るい画面（ＡＰＬが高い）を受像した状態では高輝度部分のほとんどにＢＬＵＥ信号が足され全体的に真っ青な映像となってしまうという問題を有していた。
【０００８】
【課題を解決するための手段】
前記問題を解決するために、本発明の白文字補正装置は入力するＹ信号からＡＰＬを検出しすることで白文字補正に対する効果の度合いを決定し、ＡＰＬが高い時には白文字補正を掛けず、ＡＰＬが低い時には白文字補正を掛けるように制御することを可能とすることを特徴としたものである。
【０００９】
【発明の実施の形態】
本発明の請求項１に記載の白文字補正装置は、ＡＰＬ検出回路、ＲＧＢマトリクス回路、白文字補正回路、ＲＧＢ出力回路により映像信号内に含まれる輝度の高い白文字にややＢＬＵＥを足し込むことでより鮮やかに表示することを、ＡＰＬによって最適に制御し、違和感なく鮮鋭な白文字の再現を実現するものである。以下に、本発明の一実施の形態について、図１、５を用いて説明する。
【００１０】
（実施の形態１）
図１において０１はテレビ受信機に入力されるＹ信号であり、チューナーからの出力やＶＴＲなどのビデオ信号のＹ信号成分である。
【００１１】
白文字とは、一般的な映像としてはＹ信号レベルが高く色成分のない信号成分を指しており、Ｙ信号成分にあるスライスレベルを設けそのレベルよりも高いＹ信号を白文字とするのが妥当である。
【００１２】
実際白文字補正を施すブロックとしてはＹ信号とＲ−Ｙ，Ｂ−Ｙ信号をマトリクス処理して出力したＲＧＢ信号のＢＬＵＥ信号を波形整形するか達を取る必要がある。０３は前記ＲＧＢ信号を作り出す為のマトリクス回路を示し、このブロックから出力されたＢＬＵＥ信号の出力を増加させるのが０４に示す白文字補正回路である。
【００１３】
本発明では、白文字と判断された全ての信号に対し一律に白文字補正を行うことをせず、ＡＰＬに対して制御を行うことで実際には白文字ではない大きな面積で高輝度なＹ信号には白文字補正を掛けないようにしたものである。このため、０２に示すＡＰＬ検出回路でＹ信号から現在の信号のＡＰＬを検出し、この情報を白文字補正信号として白文字補正回路に伝送する。
【００１４】
０６にＡＰＬ検出回路の内容を示しているが、ＡＰＬ検出回路では、検出したＡＰＬ情報をそのまま白文字補正回路に伝送するのではなく、ＡＰＬがどの程度低くなったら白文字補正を掛けるのか、また、白文字補正をどのくらいの強度で行うのかという情報を作成するため、０８，０９のブロックスライスレベルと、ＡＰＬ検出結果ゲインを決定する。
【００１５】
白文字補正信号を受け取った白文字補正回路は１０に示す構成をしており、
１１，１２はＲＥＤとＧＲＥＥＮの伝送ブロックで白文字補正としては特に動作はしない。１３に示すＢＬＵＥブロックに白文字補正信号は伝えられ、ＢＬＵＥの出力レベルを制御する。
【００１６】
以上の動作によりＹ信号の白文字と判断される信号はＡＰＬの状態に応じて白文字補正の強さが制御される構成になる。
【００１７】
図５に示す図は、白文字補正がＡＰＬに対して変動した時に実際どのように変化するかを示したもので、ＡＰＬが低い時の映像に関してはスライスレベルが下がりスライスレベル以上のＹ信号を白文字と判断し白文字補正を行う。また、ＡＰＬが高い時のＹ信号に白文字が含まれていたとしても白文字ではない高いレベルのＹ信号も含まれる量が多いため白文字補正を行わず、白文字以外のＹ信号に白文字補正を行うことが防止されているのが分かる。この動作により白文字以外の高レベルＹ信号の映像にＢＬＵＥを足しこんでしまう誤動作を防止し、本来の白文字にだけ白文字補正を掛けることを実現する。
【００１８】
次に本発明の一実施の形態について図１，２を用いて説明する。なお、前述した実施の形態と同じ構成については同じ符号を用い説明を省略する。
【００１９】
（実施の形態２）
図１における０８は前述したようにＡＰＬ検出結果からどのレベル以下の信号に対し白文字補正信号を送るかを決めるスライスレベルを示すものであると記載したが、このスライスレベルを同じ０８のブロックを用い、可変させることを行い特徴とする。
【００２０】
図２に示す図は０８のスライスレベルを可変する動作を示すものであるが、ＡＰＬが１００％から徐々に低くなったと仮定すると、１００％から減少するとすぐに白文字補正信号を増加させるだけではなく、１００％以下任意のスライスレベルに設定することが可能であり、仮に７０％のＡＰＬ検出レベルから白文字補正信号を出力するとすると、１００％から７０％の間は白文字補正信号を出力しない為に白文字補正はかからず、白文字はＢＬＵＥの量が変化せず白文字補正されない通常の白が出力される。
【００２１】
７０％以下のＹ信号となった場合には白文字補正信号が白文字補正回路に伝送され、ＢＬＵＥの出力レベルを増大させる動作をする。前記７０％は、任意に可変することが可能であり、図２には７０％と５０％を例として記載している。
【００２２】
ＡＰＬ検出レベルに対するスライスレベルは、テレビ受信機を作成する段階でそのテレビの目標とする映像品質に対して最も最適と判断される値に設定するのが良く、ＣＲＴのＡＢＬ検出に相当する値としてはやく５０％近辺でのスライスレベルが基本となると考えられる。
【００２３】
次に本発明の一実施の形態について図１，３を用いて説明する。なお、前述した実施の形態と同じ構成については同じ符号を用い説明を省略する。
【００２４】
（実施の形態３）
図１における０９は前述したようにＡＰＬ検出結果に対して白文字補正信号をどの程度のゲイン設定で出力するかを決定するブロックであると記載したが、このゲイン設定を同じ０８のブロックを用い、可変させることを行い特徴とする。
【００２５】
図３に示す図は０９におけるゲイン設定を可変する動作を示したものであるが、仮にＡＰＬが１００％から白文字補正信号を出力する設定にスライスレベルを設定（０８の設定）したとするとこの状態から白文字補正信号を出力するゲインを可変することが可能となりＡＰＬが低い状態の白文字補正信号の出力を変化させることができ、低ＡＰＬ状態での白文字補正かかりすぎを防止する。
【００２６】
例として前記スライスレベルを１００％と５０％へ設定した時の場合を説明するが、ＡＰＬが０％に近い状態の白文字補正出力を一定にしようとした場合、図に示すように、ＡＰＬ検出ゲイン（０９）が１００％と５０％で一定であった場合図の破線に示すように低ＡＰＬ時には白文字補正出力レベルに大きな違いが出てしまう。
【００２７】
ここでＡＰＬ検出ゲインを最適に保つ為に０９のブロックのゲイン設定を０８のスライスレベルと可変させた場合に同じに可変し最適なゲイン設定にすると、より安定して白文字補正を行うことが可能となる。
【００２８】
次に本発明の一実施の形態について図１，４を用いて説明する。なお、前述した実施の形態と同じ構成については同じ符号を用い説明を省略する。
【００２９】
（実施の形態４）
図１における０９は前述したようにＡＰＬ検出結果に対して白文字補正信号をどの程度のゲイン設定で出力するかを決定するブロックであると記載したが、このゲイン設定を同じ０８のブロックを用い、ガンマ的に変化させることを行い特徴とする。
【００３０】
図４に示す図は０９におけるゲイン設定にガンマ的動作するようにしたものを示したものであるが、仮にＡＰＬが１００％から白文字補正信号を出力する設定にスライスレベルを設定（０８の設定）したとするとこの状態から白文字補正信号を出力するゲインをガンマ的に可変することが可能となる。  ＡＰＬ検出ゲインをガンマ的に動作させると、ＡＰＬが低い状態の白文字補正信号の出力を常に一定に保ち０８によるスライスレベルを変化させた場合でもゲイン設定を改めて設定しなおす必要がなく、低ＡＰＬ状態での白文字補正かかりすぎを防止し、更に白文字補正の効果を容易に可変させることが可能である。
【００３１】
図４に１００％、７０％、５０％に関して記載しているが、それぞれに対してガンマのカーブ（以降ガンマ定数）を設定すると、図に示すようにＡＰＬが０％となる映像での白文字補正のかかり度合いを一定に保つことができる。以上の動作により、ＡＰＬ検出のスライスレベルを設定することによる低ＡＰＬ時の白文字補正きき過ぎを防止し、スライスレベルの設定を容易にすることを実現するものである。
【００３２】
【発明の効果】
以上ように、本発明の白文字補正装置によれば、従来の技術ではＣＲＴを使用しＡＢＬ電流による白文字補正のスライスレベル制御が行われる映像機器ではないテレビ受信機、例えば液晶やプラズマ、有機ＥＬを用いた場合でもＹ信号からＡＰＬを検出することにより、ＣＲＴテレビのように違和感なく鮮やかに白文字を表示することが可能となる。
【図面の簡単な説明】
【図１】本発明の実施の形態１における白文字補正装置全体ブロック図
【図２】本発明の実施の形態２におけるＡＰＬ検出スライスレベル設定イメージ図
【図３】本発明の実施の形態２におけるＡＰＬ検出ゲイン設定イメージ図
【図４】本発明の実施の形態２におけるＡＰＬ検出ガンマカーブ設定イメージ図
【図５】白文字スライスレベルが変動する様子を示した図
【図６】従来技術における不連続信号時の波形図
【符号の説明】
１  Ｙ信号入力部
２  ＡＰＬ検出ブロック
３  ＲＧＢマトリクスブロック
４  白文字補正回路
５  ＲＧＢ出力ブロック
６  ＡＰＬ検出ブロック
７  ＡＰＬ検出部
８  スライスレベル設定部
９  ゲイン設定部
１０  白文字補正回路
１１  ＲＥＤ処理部
１２  ＧＲＥＥＮ処理部
１３  ＢＬＵＥ処理部
１４  Ｙ信号入力部
１５  ＡＰＬ検出ブロック
１６  ＲＧＢマトリクスブロック
１７  白文字補正回路
１８  ＡＢＬ／ＡＣＬ検出ブロック
１９  ＣＲＴ高圧出力回路
【図１】
2004304212.tif 000003
【図２】
2004304212.tif 000004
【図３】
2004304212.tif 000005
【図４】
2004304212.tif 000006
【図５】
2004304212.tif 000007
【図６】
2004304212.tif 000008